【事件の表示】
　特願２０１５−５５７３１６「３Ｄ表示制御方法および３Ｄ表示制御装置」拒絶査定不服審判事件〔平成２６年　８月２８日国際公開、ＷＯ２０１４／１２７５８３、平成２８年　５月１９日国内公表、特表２０１６−５１４３８９〕について、次のとおり審決する。
【結　論】
　本件審判の請求は、成り立たない。
【理　由】
第１　手続の経緯
　本願は、２０１３年（平成２５年）４月２４日（パリ条約による優先権主張外国庁受理２０１３年２月２０日、中国）を国際出願日とする出願であって、その手続の経緯は以下のとおりである。
　平成２８年１２月　９日付け：拒絶理由通知
　平成２９年　３月２１日　　：意見書の提出、手続補正
　　　　同年　８月３１日付け：拒絶査定
　平成３０年　１月１１日　　：審判請求、手続補正
　平成３１年　１月３１日付け：拒絶理由通知（当審）
　令和　１年　５月　７日　　：意見書の提出
第２　本願発明
　本願の請求項１に係る発明（以下、「本願発明」という。）は、平成３０年１月１１日付けの手続補正により補正された特許請求の範囲の請求項１に記載された事項により特定される、次のとおりのものである。
　なお、本願発明の各構成の符号は、説明のために当審において付与したものであり、以下、構成Ａ〜構成Ｅと称する。
（本願発明）
（Ａ）現在のフレームの画像中におけるディスプレーパネル上の各列のサブピクセルに対応する左眼の画像データ又は右眼の画像データを順次に取得するステップと、
（Ｂ１ａ）前記各列のサブピクセルに対応する左眼の画像データ又は右眼の画像データに基づいて、現在のフレームの画像中における各列のサブピクセルが表示する画像を順次に更新する
（Ｂ１ｂ）同時に、直前のフレームの画像に対応する格子装置の遮光領域と透光領域とを更新して、裸眼３Ｄ画像の表示を実現するステップと、
　を含み、
（Ｂ２ａ）前記各列のサブピクセルに対応する左眼の画像データ又は右眼の画像データに基づいて、現在のフレームの画像中における各列のサブピクセルが表示する画像を順次に更新する
（Ｂ２ｂ）同時に、現在のフレームの画像に対応する格子装置の遮光領域と透光領域とを更新するステップは、
　具体的に、
（Ｃ１）現在のフレームにおいていずれか１列のサブピクセルを更新している時、前記いずれか１列のサブピクセルに対応する格子装置の全ての透光領域を遮蔽し、
（Ｃ２）現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持し、
（Ｃ３）前記隣接する次の列のサブピクセルが完全に更新完了した時、前記格子装置における前記いずれか１列のサブピクセルと前記隣接する次の列のサブピクセル両方に対応する領域が直ちに遮光と透光の変換を行い、
（Ｃ４）前記格子装置における前記いずれか１列のサブピクセルに対応する領域がほかの列のサブピクセルに対応しない場合、前記いずれか１列のサブピクセルが更新を完了した時、前記格子装置における前記いずれか１列のサブピクセルに対応する領域は直ちに遮光と透光の変換を行い、
　さらに、
（Ｂ２ｃ）現在のフレームの画像に対応する格子装置における遮光領域および透光領域を更新することは、
　具体的に、
（Ｄ１）直前のフレームの画像の格子装置において第２ｎ−１列と第２ｎ列のサブピクセル両方に対応し、且つ、第１プリセット幅を有する領域が透光領域であり、ほかの領域が遮光領域である時、
　現在のフレームの画像に対応する格子装置において第２ｎ列と第２ｎ＋１列のサブピクセル両方に対応し、且つ、第２プリセット幅を有する領域を透光領域に、ほかの領域を遮光領域に更新し、その中でｎ＝１、２、３、．．．であり
（Ｄ２）直前のフレームの画像の格子装置において第２ｎ列と第２ｎ＋１列のサブピクセル両方に対応し、且つ、第２プリセット幅を有する領域が透光領域であり、ほかの領域が遮光領域である時、
　現在のフレームの画像に対応する格子装置において第２ｎ−１列と第２ｎ列のサブピクセル両方に対応し、且つ、第１プリセット幅を有する領域を透光領域に、ほかの領域を遮光領域に更新し、その中でｎ＝１、２、３、．．．である
（Ｅ）ことを特徴とする３Ｄ表示制御方法。
第３　当審の拒絶の理由
　平成３１年１月３１日付けで当審が通知した拒絶の理由は、概略、以下のとおりである。
　本件出願の請求項１−１２に係る発明は、その出願前に日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
１．特開２００５−１６４９１６号公報
２．特開２００８−８３０７３号公報
第４　引用文献の記載及び引用発明
１　引用文献１
（１）引用文献１の記載事項
　当審の拒絶の理由に引用された引用文献１である特開２００５−１６４９１６号公報には、「立体表示装置」（発明の名称）に関し、図面とともに次に掲げる事項が記載されている。
　なお、下線は、強調のために当審で付したものである。
「【０００１】
　
本発明は右眼と左眼の両眼視差によって、使用者に立体像を観察させる立体ディスプレイ
の制御方法に関する。
「【００２２】
　＜
第１の実施形態
　第１の実施形態では、パララックスバリアの開口率を制限して、クロストークを改善し且つ、高品位立体像化と２D表示を可能とした表示光学系について述べる。本実施形態の画像表示装置は液晶表示装置を用いて説明してあるが、液晶に限らず、PDP（プラズマディスプレイ）等の自発光型表示装置でも適用できる。
（１）第1の実施形態の全体構成とスイッチング動作：
　図１に第1の実施形態の
表示装置構成
101は所定の場所を透過及び遮光制御するシャッタアレイ（以下、スイッチングバリアと呼称）である。102は表示装置で
所定の画像を表示する。
110はスイッチングバリアの開口パターンを制御するバリアパターン発生系、120は表示装置102の画像表示を制御する画像表示系
である。
「【００２３】
　図２Aと図２Bはスイッチングバリア101を切り替えることによって、高品位立体像化を図っている説明図である。
表示装置102は交互に右画像と左画像をストライプ状に表示する。この際の右画像と左画像は、1画素（RGB単位）或いは数画素単位、または画素のドット単位（例えばRGB色画素のひとつ）
「図２
」
「【００６２】
　以上で求めた値で光学系を構成すれば、観察者にクロストークを感じさせずに、左右の視差画像を表示することが可能である。
（６）スイッチングバリアの構造：
　図４に第1の実施形態で、そのスイッチングバリアの構成を示す。図中の
101aは短冊状のシャッタであり、このシャッタが複数並ぶことでスイッチングバリアを構成している。
このシャッタ101aは個々に遮光と透過の制御が可能である。
スイッチングバリアの開口パターンは
「3D表示時(a)」と「3D表示時(b)」
ある。図２Aに対応したバリアパターンが「3D表示時(a)」であり、図２Bに対応したバリアパターンが「3D表示時(b)」である。
バリアパターンの切り替えと視差画像の切り替えを同期して行うことで高品位立体像が再生できる。
（７）画像書き換え時間の対応：
　
表示装置102の視差画像を切り替えるためには所定の時間が必要であり、
「3D表示時(a)」と「3D表示時(b)」の間に、すべてのシャッタを遮光し、その間に表示装置の画像を切り替え
（８）簡略化したスイッチングバリア：
　図５に簡略化したバリアパターンの構成を示した。110はスイッチングバリアを示し、2種類の幅のシャッタ110aと110bから構成される。スイッチングバリアは図４に示してあるように等ピッチで並んでいなくてもよく、図５のような不等ピッチの構成にして、個々のシャッタを制御すれば同様の効果が得られる。また、図６に示すように、スイッチングバリアのドライバも3ブロックに分けて行えばよく、ドライバの簡素化が図れる。」
「図４
」
「【００６３】
　＜
第２の実施形態
　第１の実施形態では、スイッチングバリアと表示装置に、非常に早い書き換え速度が要求されるが、第2の実施形態では書き換えの走査タイミングを制御することで、一般に使用されている2次元ディスプレイの2倍程度の書き換え速度で高品位立体像を再生する形態について述べる。
（１）スイッチングバリアと画像の書き換えタイミング：
　
スイッチングバリアの書き換えと視差画像の書き換えタイミングについて
202は表示装置表示画像を示し、右目視差画像と左目視差画像の描画が行われる。
この描画は
バリアの書き換えと同様に右から左へ視差画像を書き換えて、順次、視差画像が入れ替える。
【００６４】
　
203は画像の切り替え位置である。この位置を境界にバリアに対して右画像と左画像が入れ替わり、バリアの位相が半ピッチ分ずれる。
境界203は画像パネルの書き換えと同様に右から左へ移動する。画像パネルの1フィールドごとに左右の画像は入れ替わって表示され、バリアの位相も半ピッチずれ、2フィールドで高品位立体像を再生する。
「図７
」
（２）引用文献１に記載された発明
　引用文献１に記載された発明を以下に認定する。
ア　上記（１）【０００１】によると、引用文献１には、「右眼と左眼の両眼視差によって、使用者に立体像を観察させる立体ディスプレイの制御方法」に関する発明が記載されている。
イ　上記（１）【００２２】によると、第１の実施形態として、前記立体ディスプレイは、所定の場所を透過及び遮光制御するスイッチングバリア101、所定の画像を表示する表示装置102、スイッチングバリアの開口パターンを制御するバリアパターン発生系110、表示装置102の画像表示を制御する画像表示系120から構成されるものが記載されている。
ウ　上記（１）【００２３】によると、前記表示装置102は交互に右画像と左画像をストライプ状に表示するものであり、この際の右画像と左画像は、1画素（RGB単位）或いは数画素単位、または画素のドット単位（例えばRGB色画素のひとつ）である。
エ　上記（１）【００６２】によると、前記表示装置102の視差画像を切り替えるためには所定の時間が必要であり、「3D表示時(a)」と「3D表示時(b)」の間に、すべてのシャッタを遮光し、その間に表示装置の画像を切り替えるものである。
オ　上記（１）【００６２】によると、前記スイッチングバリア101は、短冊状のシャッタ101aが複数並ぶことで構成されており、このシャッタ101aは個々に遮光と透過の制御が可能であり、前記スイッチングバリアの開口パターンは「3D表示時(a)」と「3D表示時(b)」がある。
　
カ　上記（１）【００６２】及び図２Ａによると、「3D表示時(a)」には、表示装置102の右から１、３、５、７番目のフィールドに右画像が表示され、２、４、６、８番目のフィールドに左画像が表示され、スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域が透光制御され、スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域が遮光制御されている。
　また、上記（１）【００６２】及び図２Ｂによると、「3D表示時(b)」には、表示装置102の右から１、３、５、７番目のフィールドに左画像が表示され、２、４、６、８番目のフィールドに右画像が表示され、スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域が透光制御され、スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域が遮光制御されている。
キ　上記（１）【００６２】によると、バリアパターンの切り替えと視差画像の切り替えを同期して行うことで高品位立体像が再生できるものである。
ク　上記（１）図２Ａによると、前記スイッチングバリアは、最右端部の右画像に対応する領域であって他の画像に対応しない領域と、最左端部の左画像に対応する領域であって他の画像に対応しない領域とを含むものである。
ケ　上記（１）【００６３】によると、第１の実施形態と異なる制御を行う第２の実施形態として、前記スイッチングバリアの書き換えと視差画像の書き換えタイミングについて、表示装置表示画像202は、右目視差画像と左目視差画像の描画が行われ、バリアの書き換えと同様に右から左へ視差画像を書き換えて、順次、視差画像が入れ替えるものが記載されている。
コ　上記（１）【００６４】によると、画像の切り替え位置203は、この位置を境界にバリアに対して右画像と左画像が入れ替わり、バリアの位相が半ピッチ分ずれるものである。
サ　上記（１）【００６４】によると、境界203は画像パネルの書き換えと同様に右から左へ移動し、画像パネルの1フィールドごとに左右の画像は入れ替わって表示され、バリアの位相も半ピッチずれ、2フィールドで高品位立体像を再生するものである。
シ　上記（１）図７によると、前記表示装置表示画像202は、前記境界203の右隣に位置するフィールド（表示装置表示画像202の右から５番目のフィールド。「左」と表記されている。）を有し、前記境界203の右隣に位置するフィールドには、左画像が表示され、前記境界203の右隣に位置するフィールドと当該フィールドのさらに右隣に位置するフィールド（表示画像202の右から４番目のフィールド。「右」と表記されている。）の境界の真上にあるシャッタは遮光制御されており、前記表示装置表示画像202は、前記境界203の左隣に位置するフィールド（表示装置表示画像202の右から６番目のフィールド。「左」と表記されている。）を有し、前記境界203の左隣に位置するフィールドには、左画像が表示され、前記境界203の直上にあるシャッタは、遮光制御されている。
ス　まとめ
　以上より、第２の実施形態として記載された発明を認定すると、引用文献１には、次の発明（以下、「引用発明」という。）が記載されていると認められる。
　引用発明の各構成については、符号（ａ）〜（ｆ）を用いて、以下、構成ａ〜構成ｆと称する。
（引用発明）
（ａ）右眼と左眼の両眼視差によって、使用者に立体像を観察させる立体ディスプレイの制御方法であって、
（ｂ）前記立体ディスプレイは、所定の場所を透過及び遮光制御するスイッチングバリア101と、所定の画像を表示する表示装置102と、スイッチングバリアの開口パターンを制御するバリアパターン発生系110と、表示装置102の画像表示を制御する画像表示系120と、を有し、
（ｃ）前記表示装置102は交互に右画像と左画像をストライプ状に表示するものであり、この際の右画像と左画像は、1画素（RGB単位）或いは数画素単位、または画素のドット単位（例えばRGB色画素のひとつ）であり、
（ｄ）
（ｄ１）前記スイッチングバリアは、短冊状のシャッタ101aが複数並ぶことで構成されており、このシャッタ101aは個々に遮光と透過の制御が可能であり、
（ｄ２）前記スイッチングバリアの開口パターンは「3D表示時(a)」と「3D表示時(b)」があり、
（ｄ３）「3D表示時(a)」には、表示装置102の右から１、３、５、７番目のフィールドに右画像が表示され、２、４、６、８番目のフィールドに左画像が表示され、スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域が透光制御され、スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域が遮光制御され、「3D表示時(b)」には、表示装置102の右から１、３、５、７番目のフィールドに左画像が表示され、２、４、６、８番目のフィールドに右画像が表示され、スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域が透光制御され、スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域が遮光制御され、
（ｄ４）バリアパターンの切り替えと視差画像の切り替えを同期して行うことで高品位立体像が再生できるものであり、
（ｄ５）前記スイッチングバリアは、最右端部の右画像に対応する領域であって他の画像に対応しない領域と、最左端部の左画像に対応する領域であって他の画像に対応しない領域とを含み、
（ｅ）前記スイッチングバリアの書き換えと視差画像の書き換えタイミングについて、
（ｅ１）表示装置表示画像202は、右目視差画像と左目視差画像の描画が行われ、この描画は、バリアの書き換えと同様に右から左へ視差画像を書き換えて、順次、視差画像が入れ替えるものであり、
（ｅ２）画像の切り替え位置203は、この位置を境界にバリアに対して右画像と左画像が入れ替わり、バリアの位相が半ピッチ分ずれるものであり、
（ｅ３）前記境界203は画像パネルの書き換えと同様に右から左へ移動し、画像パネルの1フィールドごとに左右の画像は入れ替わって表示され、バリアの位相も半ピッチずれ、2フィールドで高品位立体像を再生し、
（ｆ）前記表示装置表示画像202は、前記境界203の右隣に位置するフィールドを有し、前記境界203の右隣に位置するフィールドには、左画像が表示され、前記境界203の右隣に位置するフィールドと当該フィールドのさらに右隣に位置するフィールドの境界の真上にあるシャッタは遮光制御されており、前記表示装置表示画像202は、前記境界203の左隣に位置するフィールドを有し、前記境界203の左隣に位置するフィールドには、左画像が表示され、前記境界203の直上にあるシャッタは、遮光制御されており、
（ａ）立体ディスプレイの制御方法。
２　引用文献２
（１）引用文献２の記載事項
　当審の拒絶の理由に引用された引用文献２である特開２００８−８３０７３号公報には、「立体表示装置および駆動方法」（発明の名称）に関し、図面とともに次に掲げる事項が記載されている。
　なお、下線は、強調のために当審で付したものである。
「【０００１】
　本発明は
立体表示装置に関し、特に時分割で立体表示する表示装置および駆動方法に関する。
「【００１３】
（第１の実施形態）
　図１に第１の実施形態に係る
立体表示装置
「図１
」
「【００１４】
　図１に示すように、本実施形態に係る
立体表示装置は、表示部１０１と、表示部１０１の前面に設けられた光学制御手段１１１とで構成されている。
「【００２０】
　
光学制御手段１１１は、
シャッタ手段１１３
を備える。
「【００２２】
　
シャッタ手段１１３は、
表示部１０１の列方向に伸びており、更に、レンズ１１２に対応して行方向に複数配列されている。
長軸方向に一括で開閉できるように、行方向に複数配置されている。
通過する光を遮断、透過する複数のシャッタ要素１１４と、
シャッタ要素１１４間の光漏れを防止するブラックマトリックス（遮光部）１１５とで構成されている。
「【００３５】
　次に、本実施形態に係る駆動機構を説明する。図５から図８は、本実施形態に係る立体表示装置の駆動機構を説明するための断面図である。図５は、図３と同様な状態であるが、シャッタ１１３の開口箇所４０４に対応した表示部１０１の表示領域を４０１、シャッタ１１３の開口箇所４０５に対応した表示部１０１の表示領域を４０２、シャッタの開口箇所４０６に対応した表示部１０１の表示領域を４０３でそれぞれ示す。」
「図５
」
「【００３６】
　表示部１０１の走査方向を図５において紙面上、左から右とすると、最初に、新たに画像を切替えるための切替領域４２０が左から右に走査していき、表示領域４０１の表示を消去させると共に、切替領域４２０の後に新たに書き換えられた新たな表示領域４１１が左から右に向かって表示されていく（図６）。この切替領域４２０では過渡的な表示状態の画素もある。
シャッタの開口箇所４０４は、表示の書き換えが始まる前、すなわち、切替領域４２０が表示領域４０１内に走査する前に、
閉止状態となる。これにより書き換え前の画像と、書き換え後の画像が共存したり、書き換え過渡領域の画素の表示からの光で不適当な構成が見えなくなるため、立体表示の乱れ（クロストーク）を防止することができる。
「図６
」
「【００３７】
　引き続き、
切替領域４２０が
表示領域４０２内に走査する前に、シャッタの開口箇所４０５は、閉止状態となる。
新たに書き換えられた表示領域４１３の画像が安定して得られた時期に次の開口箇所となる開口箇所４１５が開口して表示領域４１３を表示する
「図７
」
「【００３８】
　引き続き、
切替領域４２０が
表示領域４０３内に走査する前に、シャッタの開口箇所４０６は、閉止状態となる
新たに書き換えられた表示領域４１７の画像が安定して得られた時期に次の開口箇所となる開口箇所４１９が開口して表示領域４１７を表示する
「図８
」
（２）引用文献２に記載された技術
　引用文献２に記載された技術を以下に認定する。
ア　上記（１）【０００１】、【００１３】によると、引用文献２には、時分割で立体表示する立体表示装置および駆動方法が記載されている。
イ　上記（１）【００１４】、【００２０】によると、引用文献２には、前記立体表示装置は、表示部１０１と、表示部１０１の前面に設けられた光学制御手段１１１とで構成され、光学制御手段１１１はシャッタ手段１１３を備える。
ウ　上記（１）【００２２】によると、前記シャッタ手段１１３は、表示部１０１の列方向に複数配列され、長軸方向に一括で開閉できるように、行方向に複数配置されており、通過する光を遮断、透過する複数のシャッタ要素１１４と、シャッタ要素１１４間の光漏れを防止するブラックマトリックス（遮光部）１１５とで構成されている。
エ　上記（１）【００３６】〜【００３８】、図６〜８によると、引用文献２に記載の立体表示装置の表示部１０１とシャッタ手段１１３を制御する技術（以下、「引用文献２の記載の技術」という。）は、以下のとおりである。
　以下、符号（２ａ）〜（２ｆ）を用いて、以下、構成２ａ〜構成２ｆと称する。
（引用文献２の記載の技術）
（２ａ）いずれかの表示領域（表示領域４０１：図６、表示領域４０２：図７、表示領域４０３：図８）の表示の書き換えが始まる前、
（２ｂ）当該いずれかの表示領域に対応するシャッタの開口箇所（開口箇所４０４：図６、開口箇所４０５：図７、開口箇所４０６：図８）は閉止状態となり、
（２ｃ）新たに書き換えられた新たな表示領域（表示領域４１１：図６，表示領域４１３：図７，表示領域４１７：図８）の画像が安定して得られた時期に、
（２ｄ）次の開口箇所（開口箇所４１５：図７、開口箇所４１９：図８）が開口して次の表示領域を表示することで、
（２ｅ）書き換え前の画像と、書き換え後の画像が共存したり、書き換え過渡領域の画素の表示からの光で不適当な構成が見えなくなるため、立体表示の乱れ（クロストーク）を防止することができる
（２ｆ）立体表示装置の表示部１０１とシャッタ手段１１３を制御する技術。
第５　対比
　次に、本願発明と、引用発明を対比する。
１　構成Ａ、Ｂ１ａ、Ｂ２ａについて
　構成ｂ及び構成ｃの「表示装置102」は、構成ｅ３の「画像パネル」を有するものであり、構成Ａの「ディスプレーパネル」に相当する。当該「表示装置102」は、構成ｃ１の「交互に右画像と左画像をストライプ状に表示する」ものであり、構成ｅ１の「右目視差画像と左目視差画像の描画が行われ、右から左へ視差画像を書き換えて、順次、視差画像が入れ替える」ものであるから、構成ｂの「表示装置102」は、「現在のフレームの画像中における左眼の画像データ又は右眼の画像データを順次表示する」ものといえる。
　構成ｃ１の「ストライプ状」は、図４及び図７より縦ストライプ状であり、構成ｃ１の「右画像と左画像」は、「1画素或いは数画素単位、または画素のドット単位」であって、交互に縦ストライプ状に表示されるものである。また、構成ｃ１の「右画像と左画像」を構成する画素を、表示装置102の画像パネル（構成ｅ３）上のピクセルに表示することは技術常識である。
　以上のことから、構成ｃ１の「表示装置102」は、現在のフレーム画像中における画像パネル上の各列のサブピクセルに対応する左眼の画像データ又は右眼の画像データを順次に表示するものといえる。
　よって、構成ｃ１、ｃ２、ｅ１は、「表示装置102上の各列のサブピクセルに対応する左眼の画像データ又は右眼の画像データに基づいて、現在のフレームの画像中における各列のサブピクセルに表示する画像を順次に更新する」ものである。
　したがって、構成ｃ１、ｃ２、ｅ１は、構成Ｂ１ａ、Ｂ２ａと一致する。
　また、構成ｂの「画像表示系120」は、画像表示を制御するものであるから、表示装置の画像を順次に更新するために、左眼の画像データ又は右眼の画像データを順次に取得するといえる。
　よって、構成ｂの「画像表示系120」が、構成ｃ１、ｃ２、ｅ１の画像表示を制御するために、現在のフレームの画像中における表示装置102上の各列のピクセルに対応する右画像のデータと左画像のデータを順次に取得する制御は、構成Ａと一致する。
２　構成Ｂ１ｂ、Ｂ２ｂ、Ｂ２ｃについて
　構成ｄ１の「スイッチングバリア」は、「短冊状のシャッタ101aが複数並ぶことで構成されており、このシャッタ101aは個々に遮光と透過の制御が可能」であることから、遮光制御されたシャッタ101aからなる領域（以下、「遮光領域」という。）と、透過制御されたシャッタ101aからなる領域（以下、「透過領域」という。）とを有するといえる。
　よって、構成ｄ１の「スイッチングバリア」は、構成Ｂ１ｂ、Ｂ２ｂ、Ｂ２ｃの「格子装置」に相当する。
　構成ｄ４によると、「バリアパターンの切り替えと視差画像の切り替えを同期して行う」ことから、「バリアパターンの切り替え」は、視差画像の切り替えと同時に行われるものであって、直前の視差画像に対応するバリアパターンから、現在の視差画像に対応するバリアパターンに、更新することであるといえる。
　また、上述したように、「スイッチングバリア」は、遮光領域と透過領域とを有するといえるから、「スイッチングバリア」の「バリアパターン」には、遮光領域と透過領域とが含まれる。
　よって、構成ｄ４の「バリアパターンの切り替えと視差画像の切り替えを同期して行う」ことは、『視差画像の切り替えと同時に、直前の視差画像に対応するスイッチングバリアの遮光領域と透過領域とから、現在の視差画像に対応するスイッチングバリアの遮光領域と透過領域とに、更新する』ことである。
　構成ａ及び構成ｂによると、引用発明は、スイッチングバリア101を用いて使用者に立体像を観察させるものであって、パララックスバリアを用いて裸眼で立体視可能に画像を表示することは技術常識であるから、構成ｄ４の「高品位立体像が再生できる」ことは、裸眼３Ｄ画像の表示を実現することであるといえる。
　したがって、構成ａ、ｂ、ｄ１、ｄ４は、構成Ｂ１ｂ、Ｂ２ｂ、Ｂ２ｃと一致する。
３　構成Ｃ１について
　構成ｅの画像の切り替え位置203（境界203）の画像パネルの書き換えについて、検討する。
　まず、構成ｆの「前記境界203の右隣に位置するフィールド」は、「この位置を境界にバリアに対して右画像と左画像が入れ替わり、バリアの位相が半ピッチ分ずれる」（構成ｅ２）とあるから、画像の入れ替わりが完了したフィールド、即ち、右画像から左画像に書き換えが完了したフィールドといえる。
　次に、構成ｆの「前記境界203の右隣に位置するフィールドと当該フィールドのさらに右隣に位置するフィールドの境界の真上にあるシャッタ」は、遮光制御されている。
　よって、構成ｅは、当該「前記境界203の右隣に位置するフィールド」を書き換えが完了した時に、当該「前記境界203の右隣に位置するフィールド」に対応するシャッタの全ての透光領域を遮光制御しているといえる。
　また、「前記境界203の右隣に位置するフィールド」には、左画像が表示されており、上記１で述べたように、構成ｃ１の「右画像と左画像」は、「1画素或いは数画素単位、または画素のドット単位」であって、交互に縦ストライプ状に表示されるものであり、さらに、構成ｃ１の「右画像と左画像」を構成する画素を、表示装置102の画像パネル（構成ｅ３）上のピクセルに表示することは技術常識であるから、「前記境界203の右隣に位置するフィールド」は、１列のピクセルからなる。
　したがって、構成ｅ、ｆは、現在のフレームにおいていずれか１列のサブピクセルを更新完了した時、前記いずれか１列のサブピクセルに対応する格子装置の全ての透光領域を遮蔽している点で、構成Ｃ１と共通する。
　ここで、「格子装置の全ての透光領域を遮蔽」するタイミングについて、構成Ｃ１の「いずれか１列のサブピクセルを更新している時」とは、更新の開始から更新完了までの期間を意味するといえる。一方、構成ｅは、遮光を開始するタイミングは特定されていない。
　したがって、「格子装置の全ての透光領域を遮蔽」するタイミングについて、構成Ｃ１は「いずれか１列のサブピクセルを更新している時」であるのに対して、構成ｅ、ｆは、そのような特定がない点で相違する。
４　構成Ｃ２について
　構成ｅの画像の切り替え位置203（境界203）の画像パネルの書き換えについて、検討する。
　構成ｆの「前記境界203の左隣に位置するフィールド」は、「右から左へ視差画像を書き換え」ること（構成ｅ１）から、「前記境界203の右隣に位置するフィールド」に隣接する次のフィールドといえる。
　当該「前記境界203の左隣に位置するフィールド」の表示画像は、「この位置を境界にバリアに対して右画像と左画像が入れ替わり、バリアの位相が半ピッチ分ずれる」（構成ｅ２）とあるから、視差画像の書き換えをまだ行っていない表示画像である。
　構成ｆの「前記境界203の直上にあるシャッタ」は、「前記境界203の右隣に位置するフィールド」と「前記境界203の左隣に位置するフィールド」の両方に対応する開口パターンの遮光と透過の制御を行うものであり、当該「前記境界203の直上にあるシャッタ」は、遮光制御されている。
　よって、構成ｅは、「前記境界203の右隣に位置するフィールド」を書き換えが「完全に更新完了した後」に、「前記境界203の右隣に位置するフィールド」に隣接する次のフィールドがまだ更新完了しない時、「前記境界203の右隣に位置するフィールド」と「前記境界203の右隣に位置するフィールド」に隣接する次のフィールドの両方に対応する開口パターンを遮光制御しているといえる。
　また、「前記境界203の左隣に位置するフィールド」には、左画像が表示されており、上記１で述べたように、構成ｃ１の「右画像と左画像」は、「1画素或いは数画素単位、または画素のドット単位」であって、交互に縦ストライプ状に表示されるものであり、さらに、構成ｃ１の「右画像と左画像」を構成する画素を、表示装置102の画像パネル（構成ｅ３）上のピクセルに表示することは技術常識であるから、「前記境界203の右隣に位置するフィールド」に隣接する次のフィールドは、１列のピクセルからなる。
　したがって、構成ｅ、ｆは、構成Ｃ２と一致する。
５　構成Ｃ３について
　構成ｅ２は、「バリアの位相が半ピッチ分ずれる」ことから、当該「前記境界203の右隣に位置するフィールド」の画像の切り替えのタイミングから「バリアの半ピッチ分に相当する時間」後に境界203の直上にあるシャッタの透過及び遮光制御の交換が行われる。
　そして、当該「バリアの半ピッチ分に相当する時間」後のタイミングは、当該「前記境界203の右隣に位置するフィールド」の隣接する次のフィールドの表示画像の書き換えが完全に更新完了した時といえる。
　よって、構成ｅと構成Ｃ３は、「前記隣接する次の列のサブピクセルが完全に更新完了した時、前記格子装置における前記いずれか１列のサブピクセルと前記隣接する次の列のサブピクセル両方に対応する領域が遮光と透光の変換を行」うものである点で共通する。
　しかしながら、構成Ｃ３は、当該遮光と透光の変換が、前記隣接する次の列のサブピクセルが完全に更新完了した時、「直ちに」行うのに対して、構成ｅはそのような構成でない点で相違する。
６　構成Ｃ４について
　構成ｄ５によれば、スイッチングバリアは、最右端部の右画像に対応する領域であって他の画像に対応しない領域と、最左端部の左画像に対応する領域であって他の画像に対応しない領域とを含むものであり、構成eの「スイッチングバリアの書き換え」は、これらの領域に対しても行われるものである。
　よって、構成ｄ５、ｅと構成Ｃ４は、「前記格子装置における前記いずれか１列のサブピクセルに対応する領域がほかの列のサブピクセルに対応しない場合」、「前記格子装置における前記いずれか１列のサブピクセルに対応する領域は」「遮光と透光の変換を行」う点で共通する。
　しかしながら、当該「前記格子装置における前記いずれか１列のサブピクセルに対応する領域がほかの列のサブピクセルに対応しない場合」の「前記格子装置における前記いずれか１列のサブピクセルに対応する領域」に対する「遮光と透光の変換」について、構成Ｃ４は、「前記いずれか１列のサブピクセルが更新を完了した時」「直ちに」行うのに対して、構成ｄ５、ｅはそのような特定がない点で相違する。
７　構成Ｄ１及び構成Ｄ２について
　構成ｄ２、ｄ４は、バリアパターン「3D表示時(a)」とバリアパターン「3D表示時(b)」の切り替えと視差画像の切り替えを同期して行うものであるから、直前のフレームの画像に対応するバリアパターンが「3D表示時(a)」である場合は、現在のフレームの画像に対応するバリアパターンは「3D表示時(b)」であり、そして、直前のフレームの画像に対応するバリアパターンが「3D表示時(b)」である場合は、現在のフレームの画像に対応するバリアパターンは「3D表示時(a)」である。
　構成ｄ３によると、「3D表示時(a)」には、「スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域」が「透光制御され」ている。また、「3D表示時(a)」には、「スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域」が「遮光制御され」ている。
　構成ｄ３によると、「3D表示時(b)」には、「スイッチングバリアにおける領域であって、１番目のフィールドと２番目のフィールドの両方に対応している領域、３番目のフィールドと４番目のフィールドの両方に対応している領域、５番目のフィールドと６番目のフィールドの両方に対応している領域、及び７番目のフィールドと８番目のフィールドの両方に対応している領域であって、所定の幅を有する領域」が「透光制御され」ている。また、「3D表示時(b)」には、「スイッチングバリアにおける領域であって、２番目のフィールドと３番目のフィールドの両方に対応している領域、４番目のフィールドと５番目のフィールドの両方に対応している領域、及び６番目のフィールドと７番目のフィールドの両方に対応している領域であって、所定の幅を有する領域」が「遮光制御され」ている。
　よって、構成ｄは、構成Ｄ１及び構成Ｄ２と一致する。
８　構成Ｅについて
　構成ａの「使用者に立体像を観察させる立体ディスプレイの制御方法」は、構成ｄ及び構成ｅにおいて、立体ディスプレイに立体像を再生するものであって、「３Ｄ表示制御方法」といえるから、構成Ｅの「３Ｄ表示制御方法」に相当する。
　したがって、引用発明と本願発明とは、「３Ｄ表示制御方法」の発明である点で一致する。
９　一致点、相違点
　以上のとおりであるから、本願発明と引用発明の一致点及び相違点は、以下のとおりである。
［一致点］
（Ａ）現在のフレームの画像中におけるディスプレーパネル上の各列のサブピクセルに対応する左眼の画像データ又は右眼の画像データを順次に取得するステップと、
（Ｂ１ａ）前記各列のサブピクセルに対応する左眼の画像データ又は右眼の画像データに基づいて、現在のフレームの画像中における各列のサブピクセルが表示する画像を順次に更新する
（Ｂ１ｂ）同時に、直前のフレームの画像に対応する格子装置の遮光領域と透光領域とを更新して、裸眼３Ｄ画像の表示を実現するステップと、
　を含み、
（Ｂ２ａ）前記各列のサブピクセルに対応する左眼の画像データ又は右眼の画像データに基づいて、現在のフレームの画像中における各列のサブピクセルが表示する画像を順次に更新する
（Ｂ２ｂ）同時に、現在のフレームの画像に対応する格子装置の遮光領域と透光領域とを更新するステップは、
　具体的に、
（Ｃ１’）前記いずれか１列のサブピクセルに対応する格子装置の全ての透光領域を遮蔽し、
（Ｃ２）現在のフレームにおいて前記いずれか１列のサブピクセルが完全に更新完了した後、前記格子装置おける前記いずれか１列のサブピクセルに対応する領域が、前記いずれか１列のサブピクセルに隣接する次の列のサブピクセルにも対応する場合、前記隣接する次の列のサブピクセルがまた更新完了しない時、前記格子装置における前記いずれか１列のサブピクセルと前記隣接する次の列のサブピクセル両方に対応する透光領域の遮蔽を保持し、
（Ｃ３’）前記隣接する次の列のサブピクセルが完全に更新完了した時、前記格子装置における前記いずれか１列のサブピクセルと前記隣接する次の列のサブピクセル両方に対応する領域が遮光と透光の変換を行い、
（Ｃ４’）前記格子装置における前記いずれか１列のサブピクセルに対応する領域がほかの列のサブピクセルに対応しない場合、前記格子装置における前記いずれか１列のサブピクセルに対応する領域は直ちに遮光と透光の変換を行い、
　さらに、
（Ｂ２ｃ）現在のフレームの画像に対応する格子装置における遮光領域および透光領域を更新することは、
　具体的に、
（Ｄ１）直前のフレームの画像の格子装置において第２ｎ−１列と第２ｎ列のサブピクセル両方に対応し、且つ、第１プリセット幅を有する領域が透光領域であり、ほかの領域が遮光領域である時、
　現在のフレームの画像に対応する格子装置において第２ｎ列と第２ｎ＋１列のサブピクセル両方に対応し、且つ、第２プリセット幅を有する領域を透光領域に、ほかの領域を遮光領域に更新し、その中でｎ＝１、２、３、．．．であり
（Ｄ２）直前のフレームの画像の格子装置において第２ｎ列と第２ｎ＋１列のサブピクセル両方に対応し、且つ、第２プリセット幅を有する領域が透光領域であり、ほかの領域が遮光領域である時、
　現在のフレームの画像に対応する格子装置において第２ｎ−１列と第２ｎ列のサブピクセル両方に対応し、且つ、第１プリセット幅を有する領域を透光領域に、ほかの領域を遮光領域に更新し、その中でｎ＝１、２、３、．．．である
（Ｅ）ことを特徴とする３Ｄ表示制御方法。
［相違点］
（相違点１）
　「格子装置の全ての透光領域を遮蔽」するタイミングについて、本願発明は、「いずれか１列のサブピクセルを更新している時」であるのに対して、引用発明はそのような特定がない点。
（相違点２）
　「前記隣接する次の列のサブピクセルが完全に更新完了した時、前記格子装置における前記いずれか１列のサブピクセルと前記隣接する次の列のサブピクセル両方に対応する領域が」行う「遮光と透光の変換」について、本願発明は、前記隣接する次の列のサブピクセルが完全に更新完了した時、「直ちに」行うのに対して、引用発明はそのような構成でない点。
（相違点３）
　「前記格子装置における前記いずれか１列のサブピクセルに対応する領域がほかの列のサブピクセルに対応しない場合」の「前記格子装置における前記いずれか１列のサブピクセルに対応する領域」に対する「遮光と透光の変換」について、本願発明は、「前記いずれか１列のサブピクセルが更新を完了した時」、「直ちに」行うのに対して、引用発明はそのような特定がない点。
第６　判断
　以下、相違点について検討する。
１　相違点１について
　引用発明と引用文献２に記載の技術は、立体表示におけるクロストークを改善することを共通の課題としているから、引用発明のスイッチングバリアのバリアパターンの切り替えと表示画像の書き換えに引用文献２に記載の技術を適用することは当業者が容易に想到し得ることである。
　引用文献２に記載の技術は、「（２ａ）いずれかの表示領域といえる直前のフレーム画像の第２ｎ−１列の表示領域４０２の表示の書き換えが始まる前、（２ｂ）当該第２ｎ−１列の表示領域４０２に対応する開口箇所４０５を閉止状態として、（２ｃ）当該第２ｎ−１列の新たな表示領域４１３の画像が完全に更新した後に、（２ｄ）現在の第２ｎ−１列といえる開口箇所４１５を開口することで、切替領域４２０が走査する前に、シャッタの開口と閉止状態とを更新する」ものといえる。
　よって、引用発明に引用文献２に記載の技術を適用して、「格子装置の全ての透光領域を遮蔽」するタイミングについて、表示画像の書き換えが始まる前から行うように構成して、「いずれか１列のサブピクセルを更新している時」と構成することは、当業者が容易になし得ることである。
２　相違点２について
　同じく、引用文献２に記載の技術は、表示画像の切り替えが「（２ｃ）安定して得られた時期に、（２ｄ）次の開口箇所が開口して次の表示領域を表示することで、（２ｅ）書き換え前の画像と、書き換え後の画像が共存したり、書き換え過渡領域の画素の表示からの光で不適当な構成が見えなく」するものといえる。
　よって、引用発明に引用文献２に記載の技術を適用して、「前記隣接する次の列のサブピクセルが完全に更新完了した時、前記格子装置における前記いずれか１列のサブピクセルと前記隣接する次の列のサブピクセル両方に対応する領域が」行う「遮光と透光の変換」を、前記隣接する次の列のサブピクセルが完全に更新完了した時、「直ちに」行うように構成することは、当業者が容易になし得ることである。
３　相違点３について
　引用文献２に記載の技術は、上記２で述べたものといえる。
　また、引用発明の最右端部の右画像又は最左端部の左画像は、他の画像とスイッチングバリア上の領域を共有していないことから、書き換えが完了した時に、他の画像に関係なく、安定して得られるものである。
　よって、引用発明に引用文献２に記載の技術を適用して、「前記格子装置における前記いずれか１列のサブピクセルに対応する領域がほかの列のサブピクセルに対応しない場合」の「前記格子装置における前記いずれか１列のサブピクセルに対応する領域」に対する「遮光と透光の変換」を、「前記いずれか１列のサブピクセルが更新を完了した時」、「直ちに」行うように構成することは、当業者が容易になし得ることである。
４　効果等について
　本願発明の構成は、上記のように当業者が容易に想到できたものであるところ、本願発明が奏する効果は、その容易想到である構成から当業者が容易に予測し得る範囲内のものであり、同範囲を超える顕著なものではない。
５　まとめ
　以上のように、本願発明は、引用文献１に記載された発明、引用文献２に記載された技術に基いて、当業者が容易に発明をすることができたものである。
第７　むすび
　以上のとおり、本願発明は、引用文献１に記載された発明、引用文献２に記載された技術に基いて、当業者が容易に発明をすることができたものであるから、特許法２９条第２項の規定により特許を受けることができない。
　したがって、本願は、その余の請求項について検討するまでもなく、拒絶をすべきものである。
　よって、結論のとおり審決する。